(57)【要約】【課題】経時的に摩耗したりもぎ取れてしまうことがなく、筆記面に複雑な形状の表示体の表示が可能であり、表示体を重ねて表示させることのできる磁性体反転表示パネル用の磁気スタンプを得ることを目的とする。【解決手段】Ｓ極側表面部分とＮ極側表面部分とを異なる色に着色した磁性体を分散媒と増稠剤とを主成分とする降伏値を有する液体中に分散してなした分散液体を、複数の液体収容室に収容し、該液体収容室の上側に筆記面となる透明な表面板を設けてなる磁性体反転表示パネル用の磁気スタンプであって、磁性体反転表示パネルの筆記面に当接する平滑な接触面を有するシート状で非着磁の磁性部材の前記接触面に、磁性体反転表示パネルの磁性体を反転させ筆記面に表示体を表示させるＳ極又はＮ極のいずれか一方の磁極を着磁した表示部を形成してなることを特徴とする。【選択図】　　　図２
2004070210.tif 000002
【特許請求の範囲】
【請求項１】
Ｓ極側表面部分とＮ極側表面部分とを異なる色に着色した磁性体を分散媒と増稠剤とを主成分とする降伏値を有する液体中に分散してなした分散液体を、複数の液体収容室に収容し、該液体収容室の上側に筆記面となる透明な表面板を設けてなる磁性体反転表示パネル用の磁気スタンプであって、磁性体反転表示パネルの筆記面に当接する平滑な接触面を有するシート状で非着磁の磁性部材の前記接触面に、磁性体反転表示パネルの磁性体を反転させ筆記面に表示体を表示させるＳ極又はＮ極のいずれか一方の磁極を着磁した表示部を形成してなることを特徴とする、磁性体反転表示パネル用の磁気スタンプ。
【請求項２】
前記磁性部材の接触面の反対面に表示部を着磁することにより、前記反対面に着磁した表示部と対称形状の表示部を接触面に着磁して形成してなることを特徴とする、請求項１に記載の磁性体反転表示パネル用の磁気スタンプ。
【請求項３】
Ｓ極又はＮ極のいずれか一方の磁極を先端部に有する手持ちの磁性用具の前記先端部を、前記接触面又は前記反対面に当接することにより、当接部に前記磁性用具の先端部の磁極と反対の磁極を着磁した表示部を形成してなることを特徴とする、請求項１又は２に記載の磁性体反転表示パネル用の磁気スタンプ。
【発明の詳細な説明】
【０００１】
【発明の属する技術分野】
本発明は、磁性体反転表示パネル用の磁気スタンプに関する。
【０００２】
【従来の技術】
従来より、例えばＳ極側表面部分を緑にＮ極側表面部分を白に着色した磁性体を分散媒と増稠剤とを主成分とする降伏値を有する液体中に分散してなした分散液体を、複数の液体収容室（例えば、裏面板の上に配した隔壁により仕切られたハニカムセル）に収容し、該液体収容室の表側に透明な表面板を配して筆記面とし、筆記面が白色の状態（Ｎ極側表面部分が筆記面に向いた状態）で、磁気ペンのＮ極を近づけることにより、磁力で磁性体を反転させて白色（Ｎ極側表面部分が筆記面に向いた状態）の背景部に緑色（Ｓ極側表面部分が筆記面に向いた状態）の筆記線を書込み、筆記線を消去する際には、磁気イレーザーのＳ極を筆記面に近づけることにより、磁性体を反転させて筆記面を白色にする構造の、いわゆる磁性体反転表示パネルは知られている。
【０００３】
筆記面に文字や絵や模様等の表示を書き込む磁性体反転表示パネル用の磁性用具としては、前記の磁気ペンの他にもスタンプ式のものがある。いわゆる磁気スタンプは、磁極部分を磁性体反転表示パネルの筆記面に対して接触させることにより、文字や模様等の表示部を筆記面に表示させるものである。図１５と図１６は磁性体反転表示パネルに使用する従来構造の磁気スタンプの分解姿図を示す。図１７は図１５の磁気スタンプに関する断面図で、図１８は図１６の磁気スタンプに関する断面図である。図１５，図１７に示す磁気スタンプ５０は、筆記面に対して磁化した磁性部材５１を接触させることにより、接触した筆記面下にある磁性体を反転して、星模様の表示体を筆記面に表示させるものである。磁性部材５１は直方体の本体部分から線状の膨出部５２を星形に突出して形成してあり、膨出部５２がある方をＮ極に着磁し、反対面をＳ極に着磁してある。尚、磁気スタンプ５０は持ち易くするために把持部材５３を磁性部材５１に取付けてある。図１６，図１８に示す磁気スタンプ６０は、磁気スタンプ５０と同様に、筆記面に対し磁化した磁性部材６１を接触させることにより、接触した筆記面下にある磁性体を反転して、自動車模様の表示体を筆記面に表示させるものである。磁性部材６１は外形を自動車形状に形成してあり、筆記面との接触面６２をＮ極に着磁し、反対面をＳ極に着磁してある。磁気スタンプ５１と同様に、把持部材６３を磁性部材６１に取付けてある。
【０００４】
また、図１９は他の従来構造の磁気スタンプの磁性部材で、図１９Ａは平面図を、図１９Ｂは図１９ＡのＣ−Ｃ線断面図である。磁性部材７１は直方体形状で、接触面７２において「−」の形に着磁したＮ極部分７２ｎとその周りのＳ極部分７２ｓとを有している。接触面７２の反対面７３においては、Ｎ極部分７２ｎに対応したＳ極部分７３ｓと、Ｓ極部分７２ｓに対応したＮ極部分７３ｎとを有している。
【０００５】
【発明が解決しようとする課題】
ところで、磁気スタンプ５０は、磁性部材５１の本体部分から膨出部５２が突出しているため、使用時においては筆記面との接触状態が不安定となったり、経時的には膨出部５２が摩耗したり、もぎ取れてしまったりという問題が生じる場合がある。また、図１５，図１６に示す磁気スタンプでは、簡単な形状であれば磁性部材をそのような形状に形成することはさして難しくないが、複雑な線で構成された文字や絵等を形成することは困難であり、提供されていないのが現実であった。
【０００６】
また、磁性部材７１は、例えば図２０に示すように、白の筆記面１０６ａに磁性部材７１を横にして接触面７２を接触させ、Ｎ極部分７２ｎにより表示した緑の「−」の文字に対し（図２０Ａの状態）、磁性部材７１を縦に重ねて「＋」の文字を表示させようとすると（図２０Ｂの状態）、「−」の文字の中間部がＮ極部分７２ｎの周辺のＳ極部分７２ｓにより消されてしまう構造であるため、表示体を重ねることができないという問題があった。
【０００７】
本発明はこうした事実に鑑み、経時的に摩耗したりもぎ取れてしまうことがなく、筆記面に複雑な形状の表示体の表示が可能であり、表示体を重ねて表示させることのできる磁性体反転表示パネル用の磁気スタンプを得ることを目的とする。
【０００８】
【課題を解決するための手段】
次に、前記課題を解決するために案出した本発明を説明する。
「１．Ｓ極側表面部分とＮ極側表面部分とを異なる色に着色した磁性体を分散媒と増稠剤とを主成分とする降伏値を有する液体中に分散してなした分散液体を、複数の液体収容室に収容し、該液体収容室の上側に筆記面となる透明な表面板を設けてなる磁性体反転表示パネル用の磁気スタンプであって、磁性体反転表示パネルの筆記面に当接する平滑な接触面を有するシート状で非着磁の磁性部材の前記接触面に、磁性体反転表示パネルの磁性体を反転させ筆記面に表示体を表示させるＳ極又はＮ極のいずれか一方の磁極を着磁した表示部を形成してなることを特徴とする。
２．前記磁性部材の接触面の反対面に表示部を着磁することにより、前記反対面に着磁した表示部と対称形状の表示部を接触面に着磁して形成してなることを特徴とする。
３．Ｓ極又はＮ極のいずれか一方の磁極を先端部に有する手持ちの磁性用具の前記先端部を、前記接触面又は前記反対面に当接することにより、接触面及び反対面に前記磁性用具の先端部の磁極と反対の磁極を着磁した表示部を形成してなることを特徴とする。」
【０００９】
請求項１に係る発明において、磁性部材の接触面を平滑とするのは、使用時に筆記面との接触状態を安定させるためであり、摩耗や破損を生じ難くするためである。また、磁性部材をシート状とするのは、磁性部材が薄いことにより着磁がし易くなり、複雑な線で構成する文字や絵等の表示部の形成が容易となるためである。
【００１０】
請求項２に係る発明において、磁性部材の接触面の反対面に表示部を着磁することにより、前記反対面に着磁した表示部と対称形状となる表示部を接触面に着磁するのは、例えば、接触面に対して普通に文字等の表示部を着磁してしまうと、接触面を磁性体反転表示パネルの筆記面に当接した際に、筆記面に表示される文字が左右逆になってしまう。これに対して請求項２に係る発明では、反対面に対して文字等の表示部を着磁するので、接触面には反対面と対称形状の表示部が形成され、筆記面には正しい文字を表示することができる。
【００１１】
請求項３に係る発明において、Ｓ極又はＮ極のいずれか一方の磁極を先端部に有する手持ちの磁性用具の先端部を、接触面又は反対面に当接することにより、当接部に磁性用具の先端部の磁極と反対の磁極を着磁した表示部を形成するのは、手持ちの磁性用具により、好みの表示体を容易に作製することが可能となるためである。尚、本発明における手持ちの磁性用具とは、磁性部材を着磁できる磁力を有する磁極を先端部に有したものであり、磁性部材に文字や絵や模様等を表示部として手書きで着磁する作業を考慮すると、磁性用具は筆記具のような形態とすることが好ましい。また、本発明においては、磁性部材の反対面に目的とする文字等が印刷された紙を貼り、印刷部分を磁性用具の先端部の磁極でなぞることにより、容易に目的とする表示部を綺麗に形成できるという利点が生じる。
【００１２】
【発明の実施の形態】
本発明を理解し易くするために図を用いて説明を行なう。尚、本実施の形態における磁気スタンプでは、磁性部材において磁性体反転表示パネルの筆記面と当接する接触面側を表と表現し、反対面側を裏と表現する。同じ部材、同じ箇所を示す場合は同じ符号を付してある。
【００１３】
第一の実施の形態の磁気スタンプを図１〜図３に示す。図１は本実施の形態の磁気スタンプを作成する状態を示す姿図で、図２は図１のＡ−Ａ線断面図で、図３は同実施の形態の磁気スタンプを裏から見た姿図である。図１に示す磁気スタンプ１は、平滑な接触面２を有する非着磁でフェライト系のゴムシート状の磁性部材３から形成したものであり、接触面２に磁性用具１０の先端部２０のＳ極を当接することにより、星模様となる表示部４０を手書きで磁性部材３に形成してある。さらに詳述すると、図２に示すように、磁性部材３は、磁性用具１０の先端部２０の磁極（Ｓ極）が接触面２側に当接することにより、接触面２（表）の当接部にはＮ極に着磁された表示部４１が、反対面５（裏）にはＳ極に着磁された表示部４２が配置した星模様の表示部４０を形成してある。尚、表示部４０は磁化された部分であり、実際には形状が見えるものではないが、説明においては発明を理解し易いように、表示部の外形を仮想線で示してある。図２のＮ１〜Ｎ４は、図１におけるＡ−Ａ線上のＮ１〜Ｎ４に対応している。Ｓ１〜Ｓ４はＮ１〜Ｎ４の裏である。
【００１４】
次に、図を用いて本実施の形態の磁気スタンプの作用の説明をする。尚、磁気スタンプの説明をする前に、磁性体反転表示パネルについて簡単に説明を行う。図４は従来公知の磁性体反転表示パネルの断面模式図である。磁性体反転表示パネル１０１は、裏面板１０２に複数のハニカムセル１０３を構成する隔壁１０４を固着して形成した液体収容室１０５の表示面側に、筆記面１０６ａとなる透明な表面板１０６を隔壁１０４に固着して一体としてある。液体収容室１０５には、分散媒と増稠剤とからなる液体１０７中にＳ極とＮ極を有する磁性体１０８を分散した降伏値を有する分散液体１０９を収容してある。磁性体１０８はＳ極側表面部分を緑色に着色し、Ｎ極側表面部分を白色に着色してある。磁性体反転表示パネル１０１に筆記線を書き込むには、棒状の磁気ペン１１０を使用する。例えば、筆記面１０６ａが白色（Ｎ極側表面部分）の表示状態で、磁気ペン１１０の軸筒１１１の前方部に配設した磁石１１２のＮ極１１２ｎを筆記面１０６ａに当接させ、矢印Ｔ方向へ移動させると、磁力Ｗ（図中の一点鎖線の矢印）により磁性体１０８の緑色（Ｓ極側表面部分）が線状に筆記面１０６ａ側へ配置される。この場合、背景が白色（Ｎ極側表面部分）の筆記面１０６ａに、緑（Ｓ極側表面部分）の筆記線が書かれた表示状態となる。
【００１５】
また、白色の背景に緑（Ｓ極側表面部分）の表示が行われている筆記面１０６ａを白色に戻す場合には、磁気イレーザー１１３を使用する。磁気イレーザー１１３は平べったい磁石であり、図において上下にＳ極１１３ｓとＮ極１１３ｎの磁性体反転磁極を有している。磁気イレーザー１１３のＳ極１１３ｓ側を、磁性体反転表示パネル１の筆記面１０６ａの緑（Ｓ極側表面部分）の表示部分に当接させると、磁性体１０８の白色（Ｎ極側表面部分）が筆記面１０６ａ側に配置して、筆記面１０６ａを白色の表示状態に戻すことができる。
【００１６】
図５は磁性体反転表示パネルに本実施の形態の磁気スタンプを使用した状態を示す要部断面模式図である。図５において磁気スタンプ１は、磁性体１０８が筆記面１０６ａに白色（Ｎ極側表面部分）を向けた状態の磁性体反転表示パネル１０１の筆記面１０６ａに対して、接触面２を当接させてある。接触面２の表示部４１はＮ極に着磁してあるため、接触面２が接触した筆記面１０６ａ下にある磁性体１０８は、磁力Ｙにより反転して筆記面１０６ａに緑色（Ｓ極側表面部分）を向けている。図６は図５の磁性体反転表示パネルを筆記面側から見た状態を示す平面図である。本実施の形態の磁気スタンプ１は、Ｎ極に着磁した表示部４１により、図６に示すように背景が白色（Ｎ極側表面部分）の筆記面１０６ａに緑色（Ｓ極側表面部分）の星模様の表示体１１４を表示することができる。また、図示しないが、反対面５のＳ極に着磁した表示部４２により、背景が緑色（Ｓ極側表面部分）の筆記面に緑色（Ｓ極側表面部分）の星模様の表示体を表示することができる。また、磁気スタンプ１は、接触面２に表示部４１のＮ極しか存在しないため、図７に示すように、星模様の表示体１１４を重ねて表示させることができる。
【００１７】
第二の実施の形態の磁気スタンプを図８〜図１２に示す。図８は本実施の形態の磁気スタンプの作成時の一状態を示す姿図で、図９は図８の次工程の状態を示す姿図である。図１０は図９のＢ−Ｂ線断面図である。図１１は本実施の形態の磁気スタンプの姿図で、図１２は図１１を裏から見た姿図である。図８，図９を用いて磁気スタンプの作成工程を簡単に説明する。図８では、平滑な接触面２ａを有する磁性部材３ａの該接触面２ａを下にして、反対面５ａに「あ」の文字３１が印字された紙３０を載せる状態である。この状態の磁性部材３ａは非着磁で、フェライト系のゴムシート状の磁性体である。さらに詳述すると、図９に示すように、磁性用具１０ａの先端部２０ａの磁極（Ｎ極）で文字３１をなぞることにより、反対面５（裏）の当接部にはＳ極に着磁された表示部４２ａが、接触面２ａ（表）にはＮ極に着磁された表示部４１ａが配置した「あ」の字の表示部４０ａを形成してある。図１０のＳ５〜Ｓ８は、図９におけるＢ−Ｂ線上のＳ５〜Ｓ８に対応している。Ｎ５〜Ｎ８はＳ５〜Ｓ８の裏である。
【００１８】
次に、図を用いて本実施の形態の磁気スタンプの作用の説明をする。尚、磁性体反転表示パネルは前述の第一の実施の形態のものと同一のため、説明は省略する。図１３は磁性体反転表示パネルに本実施の形態の磁気スタンプを使用した状態を示す要部断面模式図である。図１３において磁気スタンプ１ａは、磁性体１０８が筆記面１０６ａに白色（Ｎ極側表面部分）を向けた状態の磁性体反転表示パネル１０１の筆記面１０６ａに対して、接触面２ａを当接させてある。接触面２ａの表示部４１ａはＮ極に着磁してあるため、接触面２ａが接触した筆記面１０６ａ下にある磁性体１０８は、磁力Ｚにより反転して筆記面１０６ａに緑色（Ｓ極側表面部分）を向けている。図１４は図１３の磁性体反転表示パネルを筆記面側から見た状態を示す平面図である。本実施の形態の磁気スタンプ１ａは、Ｎ極に着磁した表示部４１ａにより、図１４に示すように背景が白色（Ｎ極側表面部分）の筆記面１０６ａに緑色（Ｓ極側表面部分）の「あ」の字の表示体１１５を表示することができる。
【００１９】
以上、本発明の実施の形態を詳述したが、本発明は、前記実施の形態例に限定されるものではなく、特許請求の範囲に記載した本発明の要旨の範囲内で種々の変更を行うことができるものである。例えば、シート状の磁性部材を持ち易くするために、把持部材を取付けても良い。尚、磁性体反転表示パネルのパネル構造としては、マイクロカプセルを液体収容室として分散液体（磁性体を降伏値を有する液体中に分散した液体）を収容したものに採用することも可能である。
【００２０】
【発明の効果】
本発明の磁性体反転表示パネル用の磁気スタンプは前述したような構造なので、経時的に摩耗したりもぎ取れてしまうことがなく、筆記面に複雑な形状の表示体の表示が可能で、表示体を重ねて表示させることのできるものとなった。
【図面の簡単な説明】
【図１】第一の実施の形態の磁気スタンプを作成する状態を示す姿図である。
【図２】図１のＡ−Ａ線断面図である。
【図３】同実施の形態の磁気スタンプを裏から見た姿図である
【図４】従来公知の磁性体反転表示パネルの断面模式図である。
【図５】磁性体反転表示パネルに第一の実施の形態の磁気スタンプを使用した状態を示す要部断面模式図である。
【図６】図５の磁性体反転表示パネルを筆記面側から見た状態を示す平面図である。
【図７】第一の実施の形態の磁気スタンプで表示体を重ねた状態を示す図である。
【図８】第二の実施の形態の磁気スタンプの作成時の一状態を示す姿図である。
【図９】図８の次工程の状態を示す姿図である。
【図１０】図９のＢ−Ｂ線断面図である。
【図１１】第二の実施の形態の磁気スタンプの姿図である。
【図１２】図１１を裏から見た姿図である。
【図１３】磁性体反転表示パネルに第二の実施の形態の磁気スタンプを使用した状態を示す要部断面模式図である。
【図１４】図１３の磁性体反転表示パネルを筆記面側から見た状態を示す平面図である。
【図１５】従来構造の磁気スタンプの分解姿図を示す。
【図１６】従来構造の磁気スタンプの分解姿図を示す。
【図１７】図１４の磁気スタンプに関する断面図である。
【図１８】図１５の磁気スタンプに関する断面図である。
【図１９】他の従来構造の磁気スタンプの磁性部材である。
【図２０】図１９の磁気スタンプで表示体を重ねた状態を示す図である。
【符号の説明】
１，１ａ…磁気スタンプ、２，２ａ…平滑な接触面、３，３ａ…磁性部材、
４０，４０ａ…表示部、
４１，４１ａ…Ｓ極に着磁された表示部、４２，４２ａ…Ｎ極に着磁された表示部、
５，５ａ…反対面、
１０１…磁性体反転表示パネル１０１、１０２…裏面板、１０３…ハニカムセル、
１０４…隔壁、１０５…液体収容室、１０６…表面板、１０６ａ…筆記面、
１０７…液体、１０８…磁性体、１０９…分散液体、
１１０…磁気ペン、１１１…軸筒、１１２…磁石、１１３…磁気イレーザー、
１１４，１１５…表示体。
【図１】
2004070210.tif 000003
【図２】
2004070210.tif 000004
【図３】
2004070210.tif 000005
【図４】
2004070210.tif 000006
【図５】
2004070210.tif 000007
【図６】
2004070210.tif 000008
【図７】
2004070210.tif 000009
【図８】
2004070210.tif 000010
【図９】
2004070210.tif 000011
【図１０】
2004070210.tif 000012
【図１１】
2004070210.tif 000013
【図１２】
2004070210.tif 000014
【図１３】
2004070210.tif 000015
【図１４】
2004070210.tif 000016
【図１５】
2004070210.tif 000017
【図１６】
2004070210.tif 000018
【図１７】
2004070210.tif 000019
【図１８】
2004070210.tif 000020
【図１９】
2004070210.tif 000021
【図２０】
2004070210.tif 000022